(57)【要約】  規定された地理的エリア内の位置によるコンテンツにアクセスする方法。当該エリアは、１以上のネットワークの選択されたノードによりカバーされるエリアにより規定される。規定された地理的エリア又は選択されたノードの識別子を表すデータが、その後、スマートカードやインターネットなどを介し許可された受信機に提供される。対応するデータは、規定された地理的エリア内の位置に配信される。そのような位置の受信機は、提供されたデータと受信されたデータの比較に基づき、コンテンツへのアクセスを許可する。コンテンツは、ネットワークを介しリモートに取得され、又は物理的メディア上にローカルに格納されてもよい。
2007512725.tif 000002
【特許請求の範囲】
【請求項１】
複数の地理的エリアのある地理的エリア内の位置により、前記複数の地理的エリア内に提供されるコンテンツにアクセスする方法であって、
当該方法は、前記位置を決定することと独立であり、
第１地理的エリアを規定するステップと、
前記第１地理的エリアに関する第１データを決定するステップと、
第１データに応じて第２データを決定するステップと、
第１データを受信機に提供するステップと、
第２データを前記第１地理的エリア内の位置に送信するステップと、
を有し、
前記第１地理的エリア内の位置にある受信機について、
第１データにアクセスするステップと、
第２データを受信するステップと、
第２データと第１データとを比較するステップと、
前記比較の結果に応じてコンテンツにアクセスするステップと、
を有することを特徴とする方法。
【請求項２】
請求項１記載の方法であって、さらに、
前記アクセスするステップに引き続き、第１データを格納するステップを有することを特徴とする方法。
【請求項３】
請求項１又は２記載の方法であって、
前記第２データを送信するステップは、前記データを配信することを特徴とする方法。
【請求項４】
請求項１乃至３何れか一項記載の方法であって、
前記第１データは、前記第１地理的エリアの規定に関する情報を有し、
前記第２データは、前記第１地理的エリア内の少なくとも１つの位置に関する情報を有する、
ことを特徴とする方法。
【請求項５】
請求項４記載の方法であって、
前記第１データは、少なくとも１つのＧＳＭ  Ｃｅｌｌ＿ＩＤを有し、
前記第２データは、前記第１データのＧＳＭ  Ｃｅｌｌ＿ＩＤと一致するＧＳＭ  Ｃｅｌｌ＿ＩＤを有する、
ことを特徴とする方法。
【請求項６】
請求項１乃至３何れか一項記載の方法であって、
第１データと第２データの間の対応が存在することを特徴とする方法。
【請求項７】
請求項１乃至６何れか一項記載の方法であって、
前記第２データは、送信前に暗号化され、受信後に解読されることを特徴とする方法。
【請求項８】
複数の地理的エリアのある地理的エリア内の位置においてコンテンツにアクセスするシステムであって、
第１地理的エリアを規定し、前記第１地理的エリアに関する第１データを決定し、第１データに応じて第２データを決定するよう動作可能なサーバと、
第１データを受信機に提供する手段と、
前記第１地理的エリア内の位置に第２データを送信するよう動作可能な第１ネットワークと、
第１データにアクセスし、第２データを受信し、第２データと第１データとを比較し、前記比較の結果に応じてコンテンツにアクセスするよう動作可能な受信機と、
を有することを特徴とするシステム。
【請求項９】
請求項８記載のシステムであって、
前記第１ネットワークは、各ノードが各自の地理的エリアをカバーするよう動作可能な１以上のデータ送信ノードを有することを特徴とするシステム。
【請求項１０】
請求項８又は９記載のシステムであって、
前記第１ネットワークは、地上波放送テレビサービス用に用いられるものであることを特徴とするシステム。
【請求項１１】
請求項８又は９記載のシステムであって、
前記第１ネットワークは、地上波放送ラジオサービス用に用いられるものであることを特徴とするシステム。
【請求項１２】
請求項８又は９記載のシステムであって、
前記第１ネットワークは、地上波携帯電話サービス用に用いられるものであることを特徴とするシステム。
【請求項１３】
請求項１２記載のシステムであって、
前記地上波携帯電話サービスは、セル配信であることを特徴とするシステム。
【請求項１４】
請求項８乃至１３何れか一項記載のシステムであって、
前記第１データを受信機に提供する手段は、前記第１データを含むスマートカードを有することを特徴とするシステム。
【請求項１５】
請求項８乃至１３何れか一項記載のシステムであって、
前記第１データを受信機に提供する手段は、第１データを前記受信機に送信するよう動作可能な第２ネットワークを有することを特徴とするシステム。
【請求項１６】
請求項１５記載のシステムであって、
前記第２ネットワークはさらに、コンテンツを前記受信機に送信するよう動作可能なであることを特徴とするシステム。
【請求項１７】
請求項８乃至１６何れか一項記載のシステムに用いられる受信機であって、
第１データにアクセスするよう動作可能なインタフェースと、
第２データを受信するよう動作可能な第１チューナーと、
第２データと第１データとを比較し、前記比較の結果に応じてコンテンツにアクセスするよう動作可能なプロセッサと、
を有することを特徴とする受信機。
【請求項１８】
請求項１７記載の受信機であって、さらに、
ストアを有し、
前記プロセッサはさらに、アクセスされた第１データを格納するよう動作可能である、
ことを特徴とする受信機。
【請求項１９】
請求項１７又は１８記載の受信機であって、さらに、
コンテンツを受信するよう動作可能である第２チューナーを有することを特徴とする受信機。
【請求項２０】
請求項１７乃至１９何れか一項記載の受信機であって、
前記インタフェースは、スマートカードを読み出すよう動作可能であることを特徴とする受信機。
【請求項２１】
請求項１７乃至１９何れか一項先の受信機であって、
前記インタフェースは、モデムと通信するよう動作可能であることを特徴とする受信機。
【請求項２２】
請求項１９記載の受信機であって、
前記プロセッサはさらに、前記第２チューナーを介し第１データにアクセスするよう動作可能であることを特徴とする受信機。
【発明の詳細な説明】
【技術分野】
【０００１】
本発明は、特に規定された地理的エリア内の位置によりコンテンツにアクセスする方法及びシステムに関する。
【背景技術】
【０００２】
新世代携帯電話サービスは追加的な無線スペクトル帯域幅を必要とし、規制当局はＵＨＦスペクトル（英国では、ＵＨＦバンドＩＶとＶの範囲内）の帯域幅を利用可能にする機会を規定している。ＤＶＢ（Ｄｉｇｉｔａｌ  Ｖｉｄｅｏ  Ｂｒｏａｄｃａｓｔｉｎｇ）規格の１以上を用いて送信されるデジタルテレビ放送サービスを支持することにより、地上波アナログＰＡＬテレビ放送サービスの送信を停止することが提案されている。１つのＤＶＢ規格であるデジタル地上波テレビＤＴＴは、明確に規定された地理的カバー領域を有するという利点を有するが、アナログＰＡＬテレビ放送サービスにより現在提供されているものと等しい人口に到達するのには時間と投資を要するであろう。他方、デジタル衛星放送（例えば、ＳＥＳ−Ａｓｔｒａシステムを介する）は、意図する視聴者全体（によるアクセス可能性）にカバー領域を経済的に提供するが、適切なリンクバジェットを維持する必要などのため、提供される地理的領域に関する精度に欠ける。国や地域の番組及びサービスなどアナログＰＡＴテレビ放送サービスにより現在提供されているのと同様に、既存のビジネスモデル及び視聴者のカバー領域を維持する（可能な場合には、向上させる）ことが政治的かつ商業的に重要である。
【０００３】
米国特許出願第２００２／０１５４７７７号は、コンテンツプレーヤーが自らそれの物理的位置を判断するコンテンツプレーヤーの位置を証明するシステムを開示している。この決定された位置とアクセス基準を比較した後、当該装置は、それが許可されているか決定することができる。問題点としては、あるプレーヤーについてのアクセス基準が、許可される、又は許可されないすべての位置を列挙しなければならないということである。当該引用文献は、アクセス基準が許可される、及び／又は許可されない位置又は地域の比較的長いリストを有する可能性があると説明することにより上記問題点を認めている。位置ベースのアクセス基準を用いて、コンテンツプレーヤーが許可されているか、又は許可されていない領域を規定することは不十分である。明らかに、長いリストはまた、各コンテンツプレーヤーにアクセス基準を配布するため、データ転送要求に影響を与え、このようなアクセス基準に変更がされる必要がある場合にはさらなる悪影響を与える。米国特許出願第２００２／０１５４７７７号は、スクランブル解除装置と、位置を自律的に決定する手段と、プロセッサとを有するコンテンツ処理装置を開示する。ある実施例では、この位置を自律的に決定する手段は、コンテンツ処理装置の位置を決定するため携帯電話信号を受信する携帯受信機を有することが開示されている。携帯電話信号を利用した方法は、開示されていない。
【発明の開示】
【発明が解決しようとする課題】
【０００４】
本発明の課題は、従来技術を向上させることである。
【課題を解決するための手段】
【０００５】
本発明によると、複数の地理的エリアのある地理的エリア内の位置により、前記複数の地理的エリア内に提供されるコンテンツにアクセスする方法であって、当該方法は、前記位置を決定することと独立であり、
第１地理的エリアを規定するステップと、
前記第１地理的エリアに関する第１データを決定するステップと、
第１データに応じて第２データを決定するステップと、
第１データを受信機に提供するステップと、
第２データを前記第１地理的エリア内の位置に送信するステップと、
を有し、
前記第１地理的エリア内の位置にある受信機について、
第１データにアクセスするステップと、
第２データを受信するステップと、
第２データと第１データとを比較するステップと、
前記比較の結果に応じてコンテンツにアクセスするステップと、
を有することを特徴とする方法が提供される。
【０００６】
本方法は、任意の適切な地理的に関連する基準を用いて地理的エリアを規定する。規定された地理的エリアは、一組の位置を含むとみなされるかもしれないが、これらの位置の何れかを決定することを要することなく規定される。各サブエリアの地理的カバー範囲がすでに知られている一組のサブエリアを選択することによって、所望の地理的エリアを規定することができる。地理的エリアは隣接する１つのエリアであるか、又は複数のエリアを有するよう選択されてもよい。規定された地理的エリアは、他の規定された地理的エリアと重複してもよく、例えば、１以上のサブエリアが各エリアと共通している。地理的エリアは、より大きな州内の地域の番組などのため、コンテンツプロバイダの要求、ユーザ要求又は他の要求を満たすよう規定されてもよい。効果的には、適切な地理的エリアを規定するのに既存のデータ配信ネットワークが利用可能であるということは認識されていた。このようなネットワークは、各ノードが規定された地理的エリア（セル）を提供する１以上のデータ送信ノードを有する。１以上のこのようなネットワークの適切なセルの選択は、必要とされる地理的エリアを規定するのに利用可能である。多数の小さなエリアセルを有するネットワークは、高解像度の地理的エリアの規定を可能にする。
【０００７】
第１データは、地理的エリアの規定に関する情報（例えば、ネットワークのセルに関する識別子群など）、又は規定された地理的エリアを特定するデータ値を有するようにしてもよい。後者の場合、効果的には、配信される第１データのデータ量は最小限とされ、これにより効率を向上させることができ、さらに、このようなデータフォーマットは、ある位置が複数の規定された地理的エリアに同時に属することを可能にする。さらなる効果としては、規定された地理的エリアの外部の受信機が、（典型的には例外として）適切なデータ値が与えられることにより、規定された地理的エリアのコンテンツにアクセスすることができる。好ましくは、第１データは、第２データに用いられるものとは独立したデータキャリアにより受信機に提供される。効果的には、第１データは、スマートカードなどの各受信機、コンテンツを配信するのに用いられるネットワーク又はインターネットと通信するのに利用される既存の配信チャネルを利用することにより提供される。
【０００８】
第２データが、第１データに応じて決定され、それは規定された地理的エリア内の少なくとも１つの位置に関する情報又は上述のデータ値（又はその一部）を有するようにしてもよい。第２データは、他の規定された地理的エリア内の位置にではなく、規定された地理的エリア内の位置のみに配信される。効果的には、データ配信ネットワークのデータ送信ノードのカバーエリアは、第２データがカバーエリア内の位置のみに送信されることを可能にする。好ましくは、データ配信ネットワークは、それのデータ送信ノードから第２データの配信をサポートする。このようにして、ノードのカバーエリア内の各位置は同時にアドレス可能であり、第２データの送信の効率向上とリアルタイム更新が可能となる。複数のノードを有する規定された地理的エリアについて、規定された地理的エリアに存在する受信機によるコンテンツへのアクセスは、第１データを再規定し、受信機に提供する必要なく、１以上のノードからの第２データの配信を停止（及び以降に再開）することによりリアルタイムに調整されてもよい。
【０００９】
規定された地理的エリア内に存在する受信機は、第１データにアクセスし、好ましくは格納する。その後、当該位置で受信された第２データと第１データとが比較される。例えば、第２データが受信されない、又は第２データが受信されるが、第１データと所定の方法では一致しないアクセスを禁止することによって、比較の結果に応じて限定的にアクセスされる。典型的には、コンテンツへのアクセスは、第２データが一致するＧＳＭ  Ｃｅｌｌ＿ＩＤなどの第１データ又は対応するデータ値と一致するときに許可される。セキュリティ追加のため、第１データ及び／又は第２データは、好ましくは、配信前に暗号化され、利用可能又は提供されるときに、任意の適切な手段を用いて受信機において解読される。さらにこのような手段の詳細は、本発明の範囲外であり、ここではさらなる説明は与えられない。
【００１０】
本発明の他の特徴によると、複数の地理的エリアのある地理的エリア内の位置においてコンテンツにアクセスするシステムであって、
第１地理的エリアを規定し、前記第１地理的エリアに関する第１データを決定し、第１データに応じて第２データを決定するよう動作可能なサーバと、
第１データを受信機に提供する手段と、
前記第１地理的エリア内の位置に第２データを送信するよう動作可能な第１ネットワークと、
第１データにアクセスし、第２データを受信し、第２データと第１データとを比較し、前記比較の結果に応じてコンテンツにアクセスするよう動作可能な受信機と、
を有することを特徴とするシステムが提供される。
【００１１】
第１データは、メール及び販売業者を介し流通されるスマートカードなどの手段により、インターネットを介しサーバからのダウンロードにより、コンテンツを配信するネットワークを介しデータチャネルにより、又は他の任意の適切な方法により受信機に提供される。
【００１２】
好ましくは、地上波放送テレビ、地上波放送ラジオ、地上波携帯電話又はこれらの任意の組み合わせに利用されるネットワークなど、既存のネットワークが第２データを送信するのに利用される。効果的には、第２データが一般に規定された地理的エリア内の複数の提供位置に共通するため、このことは、上記ネットワークがそれらの主要な機能に与える影響を最小限に抑えるルことにより第２データを搬送することを可能にする。いくつかのケースでは、第２データはネットワーク自体に関するデータを有するものであってもよく、ネットワークに対して追加的なデータオーバーヘッドをゼロにする。第２データを送信するのに利用すべきネットワークの選択は、規定された地理的エリア、当該エリアをカバーするノードの解像度（カバー範囲）、ネットワークがエリアを完全にカバーしているかなどの要求に依存するであろう。地上波携帯電話セルネットワークが第２データを送信するのに利用される場合、好ましくは、利用される機構はセル配信又は当該機構に均等なものであり、送信機（基地局）が送信機のカバーエリア（セル）内に存在するすべての受信機にデータを配信することを可能にする。
【００１３】
本発明のさらなる特徴によると、上記システムに用いられる受信機であって、
第１データにアクセスするよう動作可能なインタフェースと、
第２データを受信するよう動作可能な第１チューナーと、
第２データと第１データとを比較し、前記比較の結果に応じてコンテンツにアクセスするよう動作可能なプロセッサと、
を有することを特徴とする受信機が提供される。
【００１４】
第１データは、第２データに用いられるものとは独立してデータキャリアにより受信機によりアクセスされる。好ましくは、受信機は、第１データを格納するためのストアを有する。受信機は、スマートカードや他の物理的メディアを含む任意の適切なデータキャリア、インターネットダウンロードのためのモデム、又はネットワーク（コンテンツ送信ネットワークを含む）とのインタフェースを介し第１データにアクセスするようにしてもよい。コンテンツは、ローカル（光又は磁気ディスクなどから）及び／又はチューナーによりネットワークから取得されてもよく、コンテンツへのアクセスは、第１及び第２データの比較結果に応じたものとされる。
【発明の効果】
【００１５】
本発明の効果は、正確に規定された地理的エリアに配信されるアクセスデータの受信に従って、一般に配信されるコンテンツへのアクセスが（衛星、物理的メディアなどを介し）制御されるということである。本方法は、求められる精度を実現するため既存のデータ配信ネットワークの地理的特徴を利用しながら、当該ネットワークの追加的なデータ送信要求を最小限にし、特定のケースでは、送信要求をゼロにする。
【発明を実施するための最良の形態】
【００１６】
ここでの説明に関して、「位置」という表現は、典型的には個人の住宅などの建物の程度の地理的位置を表す。「地理的エリア」という表現は、一般にはそれぞれがいくつかの位置を含む１以上の隣接する地形エリアを表す。
【００１７】
図１は、ある地理的エリア内の位置においてコンテンツにアクセスする方法のフロー図を示す。本方法は、１０２においてスタートし、その後１０４において、ある地理的エリアを規定する。規定された地理的エリアは、コンテンツへの何れのアクセスが決定されるか参照することにより、ある地形エリアを特定する。この規定された地理的エリアは、一組の位置を含むと考えられるが、それは、これらの位置の何れかを具体的に決定する必要なく規定される。好適な実施例では、地理的エリアは、１以上の既存のデータ配信ネットワークの地理的カバー範囲を参照して規定される。このようなネットワークは、典型的には、各ノードがある地理的エリアをカバーするよう動作可能な１以上のデータ送信ノードを有する。実際、地理的エリアは、ある所望の地理的エリアを一緒になってカバーし、好ましくはそれのみをカバーする１以上のネットワークの適切なノードを選択することにより規定することができる。例えば、地域的番組のため（英国の）大ロンドンエリアを規定することが要求されると仮定すると、一般的なカバー範囲は地上波放送テレビ送信機を用いて取得することができ、さらに追加的な代用が、地上波放送テレビ送信機によってはカバーされない規定された地理的エリアの一部について選ばれた地上波携帯電話を用いて取得可能である。あるいは、カバー範囲がより正確に規定される必要がある場合（例えば、大ロンドンエリアの近傍ではあるが外部の受信機を排除するため）、地上波携帯電話セルラーネットワークのものなど、より正確なカバー領域を有するノードが、大ロンドンエリアのみをカバーする携帯電話ネットワークセルのみを利用することによって利用されてもよい。明らかに、すでに規定された地理的エリアは、当該エリアを規定するのに用いられるネットワークのノードを追加又は削除することにより調整可能である。
【００１８】
さらに、または代わりに、例えば、ある受信機がコンテンツにアクセスすることが許可される位置の地形エリアを指定するため、受信機（ユーザ）を参照して地理的エリアが規定可能である。例えば、受信機（ユーザ）は、自宅又は友人宅においてコンテンツにアクセスすることを所望するかもしれない。このユーザに対して、少なくともこれらの家をカバーするよう１以上のネットワークの適切なノードを選択することにより、地理的エリアを規定することが可能である。
【００１９】
その後１０６において、本方法は、規定された地理的エリアに関して第１データを決定する。第１データは、ネットワークの選択されたノードの識別子やデータ値などの地理的エリアの規定に関する情報を有する。後者の場合、データ値は受信機の限定受信手段と関連付けされ、例えば、データ値はコンテンツをスクランブル解除するのに用いられる暗号化された制御ワードとなる。このような手段は当業者には周知であり、本発明の範囲外であり、ここではさらに説明されることなく単に述べるにとどめる。その後１０８において、本方法は、第１データに応じて第２データを決定する。第２データは、規定された地理的エリア内の少なくとも１つの位置に関する情報を有し、規定された地理的エリア内の各位置に送信されるものである。規定された地理的エリアをカバーする与えられた一組のネットワークノードについて、第２データはこれらのノードに共通なものであってもよいし、又は、上記ノード群の特定のノードに固有なものとされてもよい。例えば、第１データがネットワークの選択されたノードの識別子を有する場合、第２データは同一の識別子を有し、あるノードについては、第２データは当該ノードに対応する識別子のみを有する。このようにして、受信機位置において受信される第２データは、規定された地理的エリアのすべての位置についてではなく、特定のノードによりカバーされる位置に関する情報を有する。他の例では、第１データはデータ値を有し、規定された地理的エリア内の何れかの位置において受信される第２データもまた、同一のデータ値（又はその一部）を有することになる。
【００２０】
その後１１０において、本方法は、例えば、受信機に送信される物理的メディア（スマートカード、ディスク、ＣＤなどから読まれる）の内部の、インターネットを含むネットワークを介し受信され、又はアクセス対象となるコンテンツを含むメディア又はネットワークを介し受信される第１データを含めることにより、第１データを受信機に提供する（１１０）。第２データは、規定された地理的エリア内の位置、実質的にこれらの位置にのみ送信される（１１２）（これが実現される精度は、上述のように、第２データを送信するのに利用されるネットワークのノードのカバー特性に依存する）。さらなるセキュリティのため、第２データは、送信前に暗号化され、受信後に解読されるようにしてもよい。第２データを送信する適切なネットワークは、地上波テレビ放送（例えば、テレテキストサービス又はＤＴＴデータチャネルを介し）、地上波ラジオ放送（例えば、ＲＤＳ又はＤＡＢデータチャネル内）及びケーブルネットワークを含む。第２データを送信する好適なネットワークは、地上波携帯電話ネットワークであり、このようなネットワークは、当該ネットワークのセル内の各位置にデータを配信する機能を介し正確な地理的カバー範囲及び効率性を提供する（例えば、ＧＳＭセル配信を利用して）。
【００２１】
規定された地理的エリア内の位置１４０の受信機について、その後１１４において、本方法は、上述のようなネットワーク又は物理的メディアにより提供される第１データにアクセする。第１データの提供方法に応じて、その後、それはストア１１８に格納されてもよい（１１６）。第２データが受信され（１２０）、第１データと比較される（１２２）。この比較は、一般には第１データが値を有し、第２データがこの値の対応する要素を有するか、例えば、第１データが一組のネットワークノードの識別子を有し、これらの１つが第２データとして受信されたネットワークノードの識別子と一致するか判断する。このような一例として、第１データが規定された地理的エリアをカバーする地上波携帯電話ネットワークのセルのＣｅｌｌ＿ＩＤを有し、各セルが当該セルの第２データを表す各自のＣｅｌｌ＿ＩＤを配信する場合があげられる。他の例として、第１データと第２データは同一のデータ値を有する場合があげられる。データ値に基づく他の様々なスキームは、当業者により想到可能である。比較が成功した場合、コンテンツがアクセスされる（１２４）。当該コンテンツは、放送及びインターネットを含むネットワークを介し、又は任意の適切なメディア（光、磁気など）により受信機にローカルに利用可能とされてもよい。本方法は、１２６において終了する。
【００２２】
図２は、地理的エリア内のある位置においてコンテンツにアクセスするためのシステムの概略を示す。２００により全体的に示される本システムは、サーバ２０２と、第１データを受信機２０８に提供する手段２０４と、ネットワーク２０６とを有する。サーバは、コンテンツ発行者、提供者又はコンテンツへのアクセスを規制することを所望する他のエンティティに配置されてもよい。サーバは、例えば、所望の地理的エリアを規定するため１以上の（好ましくは既存の）ネットワークのノードを選択することにより、地理的エリアを規定するよう構成される。図２の例では、２２０、２２２及び２２４により示される各自のカバーエリア（セル）を有する３つのノード（送信機）２３０、２３２及び２３４を有するネットワークが利用される。明らかに実際には、このようなネットワークは、各ノードが地形及び伝搬基準に従うカバー範囲を有するより多くのノードを有するかもしれない。本例では、所望される地理的エリアは、太線により示されるようなエリア２２０と２２２によりカバーされる。実際の所望の地理的エリアが、２２０と２２４の合成されたエリアでないものとすることができるということに留意されたい。本例では、２２０と２２４の合成されたエリアは最近接の近似を提供する。より小さなカバーエリアを有するノードの利用は、所望の地理的エリアと規定された地理的エリアとの間の適合を向上させることができる。ノード２３０、２３２及び２３４は、任意の適切なネットワーク又は異なるネットワークに属するものとすることが可能である（例えば、２３０は、地上波放送テレビ又はラジオ送信機であり、２３２はコミュニティケーブルテレビヘッドエンドとすることが可能である）。隣接するノードのカバーエリアは、好ましくは隣接し（図示されるように）、規定された地理的エリアのカバー範囲の精度を向上させる。しかしながら、より精度の低いカバーエリアを有するエリアを有するネットワークは（例えば、隣接するノードのカバーエリアが、ある程度重複するように）、結果として得られる（より精度の低い）規定された地理的エリアが意図する最終的な目的にとって適切であるということが仮定されると、英国に対応する地理的エリアを規定する際などのケースと同様に、本発明の方法により利用することが可能である。
【００２３】
説明のため、図２のネットワーク２０６は、地上波携帯電話ネットワークのノードを有する。規定された地理的エリアは、ノード２３０と２３２のカバーエリア２２０と２２２により表される。この結果、第１データ２１０は、Ｃｅｌｌ＿ＩＤ（２３０）とＣｅｌｌ＿ＩＤ（２３２と記されるノード２３０と２３２の識別子を有すると決定される。この第１データ２１０は、その後、スマートカード２１２を有する手段２０４、又は第１データ２１０を受信機２０８に提供するのに利用されるネットワーク２１４に転送される。受信機は、スマートカード２１２を読み出すことにより、又はネットワーク２１４を開始サーバ（又はサーバ２０２））からダウンロードすることにより、第１データにアクセスするようにしてもよい。スマートカード２１２の代わりに、何れかの物理的な光又は磁気メディアを利用することができる。ネットワーク２１４は、インターネットやコンテンツを配信するのに用いられるネットワークを含む任意のネットワークとすることができる。本例では、データ２１６は、第１データのコピー、又はネットワーク２０６に対する規定された地理的エリアを特定する単なるコード又は命令を有するものとすることができる。何れのケースでも、ネットワークコントローラ２１８は、データ２１６を解析し、ノード２３０と２３２に関連するＣｅｌｌ＿ＩＤ、すなわち、Ｃｅｌｌ＿ＩＤ（２３０）とＣｅｌｌ＿ＩＤ（２３２）を有する各自のＣＢ（Ｃｅｌｌ  Ｂｒｏａｄｃａｓｔ）メッセージ２２６と２２８を各ノードに発行するよう指示する命令２２６と２２８を転送する。ＣＢメッセージは、２２０と２２２を有するカバーエリア内の位置にある受信機により受信可能である。受信機２０８は、ノード２３２のカバーエリア２２２内の指定されていない位置にあり、Ｃｅｌｌ＿ＩＤ（２３２）を有するＣＢメッセージ２２８の形式により第２データを受信する。その後、受信機は、受信した第２データとアクセスされた第１データとを比較し、一致を検出し、これにより、コンテンツへのアクセスが可能となる。第１及び第２データの他の形式とそれの比較が説明された。上記例では、何れのケースでも、ネットワーク２０６が他の目的のためＣｅｌｌ＿ＩＤデータを出力する場合、データ２１６をネットワーク２０６に転送する必要はなく、これにより、効率性が向上し、実現形態を簡略化することが可能となる。
【００２４】
図３は、図２のシステムにおいて利用される受信機の概略を示す。受信機３０２は、インターネット３２８を介しサーバ（図示せず）からデータ３０６をダウンロードするため、モデム３２６と接続されるインタフェース３０４を有する。他には（破線により記される）、インタフェース３０４が、ケーブルネットワーク３３０からテレビチャンネルなどのコンテンツ３２２を受信するのに利用されるチューナー３２０を介し、又はスマートカード３２４からデータ３０６を読み出すようにしてもよい。インタフェース３０４は、受信したデータ３０６をストア３１８に転送する。受信機はまた、ＧＳＭネットワーク３０９からデータ３１０を受信するＧＳＭチューナー３０８を有する。上述のように、他のネットワークもまた利用可能である。データ３１０は、受信したデータ３１０と格納されているデータ３０６を比較するプロセッサ３１２に転送される。比較結果に応じて、プロセッサはコンテンツ３２２にアクセスし（ネットワーク３３０、又は光若しくは磁気メディアなどのローカルストレージ３１６から受信される）、３１４において、許可されたコンテンツが受信機から出力される。
【００２５】
上記方法及び実現形態は例示的に提供されたものであり、本発明の効果を利用するため当業者により容易に特定可能な方法及び実現形態の範囲の選択を表す。
【００２６】
上記説明において、図１を参照して、規定された地理的エリア内の位置に応じてコンテンツにアクセスする方法が開示される。当該エリアは、１以上のネットワークの選択されたノードによりカバーされるエリアにより規定される。その後、規定された地理的エリア又は選択されたノードの識別子を表すデータが、スマートカードやインターネットなどを介し許可されている受信機に提供される。対応するデータが、規定された地理的エリア内の各位置に配信される。このような位置にある受信機は、提供されたデータと受信したデータの比較に基づき、コンテンツへのアクセスを許可する。当該コンテンツは、物理的メディアにローカルに格納されてもよいし、又は、ネットワークを介しリモートに取得されてもよい。
【図面の簡単な説明】
【００２７】
【図１】図１は、地理的エリア内のある位置においてコンテンツにアクセスする方法のフロー図である。
【図２】図２は、地理的エリア内のある位置においてコンテンツにアクセスするシステムの概略である。
【図３】図３は、図２のシステムにおいて用いられる受信機の概略である。
【図１】
2007512725.tif 000003
【図２】
2007512725.tif 000004
【図３】
2007512725.tif 000005
【国際調査報告】
2007512725.tif 000006
2007512725.tif 000007
2007512725.tif 000008
2007512725.tif 000009